(57)【特許請求の範囲】
【請求項１】
放電電極と、対向電極と、前記放電電極と対向電極の間に高電圧を印加する高電圧印加装置とを備え、前記放電電極はペルチェ素子の冷却面側に密着させて設けることによりその放電電極表面に結露水が発生するように構成するとともに、前記放電電極と対向電極との間の放電によって放電電極の先端に静電気力によりラジカルやイオン、およびそれらを含んだ微細な水粒子を生成し放出させる構成とし、かつ、更に前記放電電極は過剰に結露する結露水を貯める貯水部を備え、吸水性の良い不織布を前記貯水部と送風回路内または前記ペルチェ素子の放熱側のヒートシンクの双方に接するように設置し、前記貯水部内の水を当該不織布を介して前記送風回路内または前記ペルチェ素子の放熱側のヒートシンクへ誘導し、前記送風回路内または前記ペルチェ素子の放熱側のヒートシンクで蒸発させる構成とした空気浄化装置。
【発明の詳細な説明】
【技術分野】
【０００１】
本発明は、放電と水を利用し、空気中の悪臭物質や有害物質、さらに細菌やアレルゲン等の除去を行う空気浄化装置に関するものである。
【背景技術】
【０００２】
従来、放電と水を利用し、脱臭や殺菌を行う空気浄化装置は、水蒸気を放電領域部分に導入して、放電により高速飛散している電子と水分子との衝突や紫外線等により、酸化力の強いＯＨラジカルを生成し、悪臭成分や有害物質の分解、さらには空気中の菌・ウイルスなどの不活化やＤＮＡ・ＲＮＡの破壊等を行い繁殖を防止させている（例えば、特許文献１参照）。
【０００３】
また、水溜部の水を静電霧化させて酸化力の高いラジカルとともにそれを含んだ水を霧化し、室内へ放出し、室内空気や室内壁面等の付着臭の脱臭を行っているものもある（例えば、特許文献２参照）。
【特許文献１】特開２００１−９６１９０号公報
【特許文献２】特開２００４−８５１８５号公報
【発明の開示】
【発明が解決しようとする課題】
【０００４】
しかしながら、前記従来の装置は、水を水道配管から給水したり、水タンク等に入れてから放電部分まで給水することが必要であり、一度装置を取り付けると簡単に移動することができない。また水が無くなるとタンクに給水してやることが必要などの手間がかかるという課題を有していた。
【０００５】
そこで前記従来の課題を解決するため、放電電極と対向電極のどちらかまたは両方にペルチェ素子を使用し無給水で水を発生させ、前記電極間に高電圧を印加し放電させ、放電領域でより長寿命な酸化力の高いラジカルやイオン等、およびそれらを含んだ微細な水粒子を生成し、放電領域下流に放出させ、放出された領域の脱臭、殺菌、有害物質除去等を行うものを提案されている。しかしながら、まわりの環境温湿度条件によっては、過剰に水が生成され、外部に水が流れ出たり、飛び出すといった課題を有していた。
【０００６】
本発明は、前記従来の課題を解決するもので、過剰に生成された水の処理方法を有し、放電と水を利用し、空気中の悪臭物質や有害物質、さらに細菌やアレルゲン等の除去を行う空気浄化装置を提供することを目的とする。
【課題を解決するための手段】
【０００７】
前記従来の課題を解決するために、本発明の空気浄化装置は、放電電極と、対向電極と、前記放電電極と対向電極の間に高電圧を印加する高電圧印加装置とを備え、前記放電電極はペルチェ素子の冷却面側に密着させて設けることによりその放電電極表面に結露水が発生するように構成するとともに、前記放電電極と対向電極との間の放電によって放電電極の先端に静電気力によりラジカルやイオン、およびそれらを含んだ微細な水粒子を生成し放出させる構成とし、かつ、更に前記放電電極は過剰に結露する結露水を貯める貯水部を備え、吸水性の良い不織布を前記貯水部と送風回路内または前記ペルチェ素子の放熱側のヒートシンクの双方に接するように設置し、前記貯水部内の水を当該不織布を介して前記送風回路内または前記ペルチェ素子の放熱側のヒートシンクへ誘導し、前記送風回路内または前記ペルチェ素子の放熱側のヒートシンクで蒸発させる構成としたものである。これにより、微細な水粒子が放出された領域を殺菌、脱臭、有害物質除去するとともに、結露水は貯水部の中に溜まり、流れ出して外に飛び出すことはなくなる。
【発明の効果】
【０００８】
本発明によれば、過剰に生成された水の処理方法を有し、放電と水を利用し、空気中の悪臭物質や有害物質、さらに細菌やアレルゲン等の除去を行う空気浄化装置を提供できる。
【発明を実施するための最良の形態】
【０００９】
第１の発明は、放電電極と、対向電極と、前記放電電極と対向電極の間に高電圧を印加する高電圧印加装置とを備え、前記放電電極はペルチェ素子の冷却面側に密着させて設けることによりその放電電極表面に結露水が発生するように構成するとともに、前記放電電極と対向電極との間の放電によって放電電極の先端に静電気力によりラジカルやイオン等、およびそれらを含んだ微細な水粒子を生成し放出させる構成とし、かつ、更に前記放電電極は過剰に結露する結露水を貯める貯水部を備え、吸水性の良い不織布を前記貯水部と
送風回路内または前記ペルチェ素子の放熱側のヒートシンクの双方に接するように設置し、前記貯水部内の水を当該不織布を介して前記送風回路内または前記ペルチェ素子の放熱側のヒートシンクへ誘導し、前記送風回路内または前記ペルチェ素子の放熱側のヒートシンクで蒸発させる構成としたものである。これにより、微細な水粒子が放出された領域を殺菌、脱臭、有害物質除去するとともに、結露水は貯水部の中に溜まり、流れ出して外に飛び出すことはなくなる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における空気浄化装置の構成を示す断面図である。
【００１２】
図１において、１は放電電極、２は対向電極である。そして、前記電極間に高電圧を印加し放電を発生させる高電圧印加装置３が接続されている。ペルチェ素子４は、高電圧印加装置３とともに通電される。放電電極１はペルチェ素子４の冷却面と密着しており、ペルチェ素子４が通電されると放電電極１も熱伝導で冷却される。放電電極１は熱伝導性が重要であり、性能が左右される為、Ａｌでできている。
【００１３】
また、ペルチェ素子４の反対面である放熱側はヒートシンク５と密着しておりペルチェ素子４で発生する熱を放熱している。また図で示していないがペルチェ素子４と放電電極１、ペルチェ素子４とヒートシンク５の密着面には熱伝導性を良くする為、シリコン系の接着剤または充填剤が塗布してある。
【００１４】
以上のように構成された空気浄化装置について、以下その動作、作用を説明する。
【００１５】
水発生手段は、ペルチェ素子４で無給水で水を発生させるのもであり、冷却面側に放電電極１に密着させ設ける。これにより、放電電極１が露点以下の温度になると放電電極１の表面に結露水が発生する。例えば、温度が２２℃で湿度が３０％のとき、放電電極１が露点すなわち３．６℃以下の温度になると放電電極１の表面に結露水が発生する。
【００１６】
以上のように、ペルチェ素子４に通電することでペルチェ素子４の冷却面と密着している放電電極１は、熱伝導で冷却され露点以下となり、結露することになる。この状態で、放電電極１と対向電極２には、高電圧印加装置３により高電圧が印加されているため、前記電極間には放電が発生しており、放電電極１の先端に静電気力による静電霧化がなされる。
【００１７】
このように連続運転していると、結露部分近辺が多湿条件の時、結露水が過剰に生成されて広範囲に流れだして、外側にまで流れだしたり、送風機の気流などで飛び出すことになるため、放電電極１の結露する周辺に結露水が外側にまで流れだしたりしないように貯水部である凹部６を設けてある。この凹部６は、放電電極１の高さ以下の深さにすることで、常に放電を発生させておくことが可能となる。
【００１８】
以上のように、本実施の形態において放電電極１の結露する周辺に、凹部６を設けることにより、結露水を凹部６に溜めることができ、結露水が外側にまで流れだしたりしないようにすることができる。
【００１９】
（実施の形態２）
図２は、本発明の第２の実施の形態における空気浄化装置の構成を示す模式図である。
【００２０】
図２において、結露水を溜める貯水部である凹部６の中に、吸水性の良好な不織布１７を設置してある。
【００２１】
不織布１７も、放電電極１よりも高くならない範囲で、常に放電のできるように設置されている。このようにすることで、空気浄化装置の設置状態が傾くような場合でも、結露水を溢すことはなくなり、結露水が外に流れだしたりしないようにすることができる。
【００２２】
（実施の形態３）
図３は、本発明の第３の実施の形態における空気浄化装置を送風回路１８に設置した状態を示す模式図である。
【００２３】
図３において、貯水部である凹部６に不織布１７を取りつけることで、結露した水が給水される。結露水が凹部６よりも過剰に生成されると流れ出る可能性があるため、不織布１７を送風回路１８内へ誘導するように設置する。このように構成することで、給水された結露水は不織布１７を伝い、送風回路１８内へ誘導され、送風回路１８内の気流により蒸発される。
【００２４】
以上のように、凹部６に不織布１７を取りつけ、送風回路１８内に誘導し乾燥させるようにすることで、凹部６以上に結露水が生成されても凹部６から水が溢れてこぼれることもなくなる。
【００２５】
（実施の形態４）
図４は、本発明の第４の実施の形態における空気浄化装置の構成を示す模式図である。
【００２６】
本実施の形態では凹部６に不織布１７を取りつけ結露した水が給水された後、不織布１７で放熱側のヒートシンク５表面に誘導し、ヒートシンク５表面の放熱を利用して蒸発されるように構成されている。
【００２７】
以上のように、凹部６に不織布１７を取りつけ、ヒートシンク５表面に誘導し放熱を利用して乾燥させるようにすることで、凹部６以上に結露水が生成されても、凹部６から水が溢れてこぼれることもなくなる。また、結露水は低温であり、放熱の補助となる為放熱効率が向上するといった相乗効果もある。
【００２８】
（実施の形態５）
図５は、本発明の第５の実施の形態における空気浄化装置の構成を示す模式図である。
【００２９】
本実施の形態では凹部６に水位センサー２０を取りつけ、結露水が溜まってきたらペルチェ素子４の電源をＯＦＦまたは極性を反転するようにし、過剰な結露水の生成を止めるようにした。
【００３０】
なお、ここでは例えば水位センサー２０で説明したが、周囲環境とペルチェ通電時間など、結露水の量を判別する手段についてはなんら限定しない。
【産業上の利用可能性】
【００３１】
以上のように、本発明にかかる空気浄化装置は、放電と水を利用し、空気中の悪臭物質や有害物質、さらに細菌やアレルゲン等の除去を行いつつ、過剰な結露水が貯水部から水が溢れるといったクレームも解消できる。
【図面の簡単な説明】
【００３２】
【図１】本発明の実施の形態１における空気浄化装置の模式図
【図２】本発明の実施の形態２における空気浄化装置の模式図
【図３】本発明の実施の形態３における送送風回路へ設置した斜視図
【図４】本発明の実施の形態４における空気浄化装置の模式図
【図５】本発明の実施の形態５における模式図
【符号の説明】
【００３３】
１  放電電極
２  対向電極
３  高電圧印加装置
４  ペルチェ素子（水発生手段）
５  ヒートシンク
６  凹部（貯水部）
１７  不織布
１８  送風回路
２０  水位センサー
【図１】
0004706198.tif 000002
【図２】
0004706198.tif 000003
【図３】
0004706198.tif 000004
【図４】
0004706198.tif 000005
【図５】
0004706198.tif 000006